(57)【要約】【課題】部品点数および製造工数の増加や、筐体の意匠性の低下を招くことなく、カードスロットからの水の侵入を防止するための必要十分な防水性を確保することができるようにする。【解決手段】筐体２と、表示パネルと、筐体の外面に開口したカードスロット２３と、筐体の内部に配置されて、カードスロットに挿入されたカードの記憶情報を読み取るカードリーダと、筐体における表示パネルが配置された前面３を上にした状態で、カードスロットの上側となる上縁部４１に対して、カードスロットの下側となる下縁部４２が、所定のずれ量ｘをおいて内側にずれた状態に形成されたものとする。【選択図】図４
2017062694.tif 000002
【特許請求の範囲】
【請求項１】
筐体と、
表示パネルと、
前記筐体の外面に開口したカードスロットと、
前記筐体の内部に配置されて、前記カードスロットに挿入されたカードを読み取るカードリーダと、
前記筐体における前記表示パネルが配置された前面を上にした状態で、前記カードスロットの上側となる上縁部に対して、前記カードスロットの下側となる下縁部が、所定のずれ量をおいて内側にずれた状態に形成されたことを特徴とする取引端末装置。
【請求項２】
前記カードは、磁気ストライプを備えた磁気カードであり、
前記カードスロットは、前記磁気カードをスライドさせて、前記磁気ストライプに記録された磁気データを前記カードリーダに読み取らせるために、コ字形状に開口していることを特徴とする請求項１に記載の取引端末装置。
【請求項３】
前記筐体は、前記表示パネルに沿って前記前面が平面状に形成されるとともに、前記前面と相反する背面における前記カードスロットと相反する側に、前記筐体の背面から突出した凸部を備え、
前記カードスロットは、前記筐体の前面に沿った方向に延びた状態で設けられたことを特徴とする請求項１または請求項２に記載の取引端末装置。
【請求項４】
前記上縁部に対する前記下縁部のずれ量ｘと、前記カードスロットの開口部の幅ａと、載置面の水平面に対する傾斜角θと、前記凸部の突出高さＨと、前記筐体が載置面に接触する２つの設置点の間隔Ｌと、が、
ｘ≧ａ×ｔａｎ（θ−ｓｉｎ−１（Ｈ／Ｌ））
を満足することを特徴とする請求項３に記載の取引端末装置。
【請求項５】
さらに、記録媒体に記録を行うプリンタを備え、
前記凸部は、前記記録媒体を収容する記録媒体収容部であることを特徴とする請求項３または請求項４に記載の取引端末装置。
【請求項６】
前記筐体における前記カードリーダを収容するカードリーダ収容部が、前記筐体の背面から突出した状態に形成され、前記筐体の背面に対する前記凸部の突出高さが前記カードリーダ収容部の突出高さより大きいことを特徴とする請求項３から請求項５のいずれかに記載の取引端末装置。
【請求項７】
前記下縁部は、側面視で上縁部の端縁と下縁部の端縁とを結ぶ直線の延長線上に位置する傾斜面を有することを特徴とする請求項１から請求項６のいずれかに記載の取引端末装置。
【発明の詳細な説明】
【技術分野】
【０００１】
本発明は、カードリーダを備えた取引端末装置に関するものである。
【背景技術】
【０００２】
クレジットカードやデビットカードなどによるキャッシュレスでの決済に用いられる取引端末装置、いわゆるモバイル決済端末では、磁気カードを読み取る磁気カードリーダが設けられている。このような磁気カードリーダを備えた取引端末装置では、筐体の外面に開口したカードスロットから内部に水が侵入するおそれがあるため、水の侵入を防止する防水性を確保する必要がある。
【０００３】
このようなカードリーダの防水構造に関する技術として、従来、本体と独立したケースにカードリーダを収容して、本体とカードリーダとの接続部分にパッキンなどの防水部品を設ける技術が知られている（特許文献１参照）。
【先行技術文献】
【特許文献】
【０００４】
【特許文献１】特開２０１１−１３８２８８号公報
【発明の概要】
【発明が解決しようとする課題】
【０００５】
本発明の主な目的は、パッキンなどの防水部品を設けることによる部品点数および製造工数の増加を抑制し、カードスロットの周囲にひさしを設けるなどにより筐体の意匠性の低下を招くことなく、カードスロットからの水の侵入を防止するための必要十分な防水性を確保することができるように構成された取引端末装置を提供することにある。
【課題を解決するための手段】
【０００６】
本発明の取引端末装置は、筐体と、表示パネルと、前記筐体の外面に開口したカードスロットと、前記筐体の内部に配置されて、前記カードスロットに挿入されたカードを読み取るカードリーダと、前記筐体における前記表示パネルが配置された前面を上にした状態で、前記カードスロットの上側となる上縁部に対して、前記カードスロットの下側となる下縁部が、所定のずれ量をおいて内側にずれた状態に形成された構成とする。
【発明の効果】
【０００７】
本発明によれば、取引端末装置は、通常、表示パネルが配置された前面側を上にして使用されることから、この状態において、カードスロットの上縁部に対して下縁部が内側にずれた状態に形成されていると、上方から滴下する水に対して上縁部がひさしとして機能するようになるため、カードスロットの内部への水の侵入を防ぐことができる。これにより、パッキンなどの防水部品が不要になり、部品点数および製造工数の増加や、筐体の意匠性の低下を招くことなく、必要十分な防水性を確保することができる。
【図面の簡単な説明】
【０００８】
【図１】本実施形態に係る取引端末装置１の斜視図
【図２】取引端末装置１の背面図
【図３】取引端末装置１の縦断面図
【図４】磁気カード用のカードスロット２３の防水構造を説明する取引端末装置１の要部側面図
【図５】磁気カード用のカードスロット２３の防水構造を説明する取引端末装置１の要部背面図
【図６】磁気カード用のカードスロット２３の防水構造を説明する取引端末装置１の要部斜視図
【図７】磁気カード用のカードスロット２３の防水構造を説明する取引端末装置１の要部側面図
【図８】取引端末装置１を水平面および傾斜面に載置した状態を示す取引端末装置１の側面図
【図９】取引端末装置１において防水性を確保するための条件を説明する説明図
【発明を実施するための形態】
【０００９】
前記課題を解決するためになされた第１の発明は、筐体と、表示パネルと、前記筐体の外面に開口したカードスロットと、前記筐体の内部に配置されて、前記カードスロットに挿入されたカードを読み取るカードリーダと、前記筐体における前記表示パネルが配置された前面を上にした状態で、前記カードスロットの上側となる上縁部に対して、前記カードスロットの下側となる下縁部が、所定のずれ量をおいて内側にずれた状態に形成された構成とする。
【００１０】
これによると、取引端末装置は、通常、表示パネルが配置された前面側を上にして使用されることから、この状態において、カードスロットの上縁部に対して下縁部が内側にずれた状態に形成されていると、上方から滴下する水に対して上縁部がひさしとして機能するようになるため、カードスロットの内部への水の侵入を防ぐことができる。これにより、パッキンなどの防水部品が不要になり、部品点数および製造工数の増加や、筐体の意匠性の低下を招くことなく、必要十分な防水性を確保することができる。
【００１１】
また、第２の発明は、前記カードは、磁気ストライプを備えた磁気カードであり、前記カードスロットは、前記磁気カードをスライドさせて、前記磁気ストライプに記録された磁気データを前記カードリーダに読み取らせるために、コ字形状に開口している構成とする。
【００１２】
これによると、磁気ストライプを備えた磁気カードでは、カードをスライドさせて読み取るため、カードスロットにシャッターを設けることが難しいが、第１の発明のようにカードスロットの周辺部の形状を工夫することで、防水性を確保することができる。
【００１３】
また、第３の発明は、前記筐体は、前記表示パネルに沿って前記前面が平面状に形成されるとともに、前記前面と相反する背面における前記カードスロットと相反する側に、前記筐体の背面から突出した凸部を備え、前記カードスロットは、前記筐体の前面に沿った方向に延びた状態で設けられた構成とする。
【００１４】
これによると、筐体の背面においてカードスロットと相反する側に凸部が設けられているため、水平面に載置した状態でも、カードスロットが斜め下向きとなるため、水が浸入しにくくなり、防水性を高めることができる。
【００１５】
また、第４の発明は、前記上縁部に対する前記下縁部のずれ量ｘと、前記カードスロットの開口部の幅ａと、載置面の水平面に対する傾斜角θと、前記凸部の突出高さＨと、前記筐体が載置面に接触する２つの設置点の間隔Ｌと、が、
ｘ≧ａ×ｔａｎ（θ−ｓｉｎ−１（Ｈ／Ｌ））
を満足する構成とする。
【００１６】
これによると、数式で示す条件を満足すると、カードスロットが設けられた側が上となる傾斜面に載置された場合でも、防水性を確保することができる。
【００１７】
また、第５の発明は、さらに、記録媒体に記録を行うプリンタを備え、前記凸部は、前記記録媒体を収容する記録媒体収容部である構成とする。
【００１８】
これによると、取引の内容が記録された控票を印字することができるため、利便性を高めることができる。
【００１９】
また、第６の発明は、前記筐体における前記カードリーダを収容するカードリーダ収容部が、前記筐体の背面から突出した状態に形成され、前記筐体の背面に対する前記凸部の突出高さが前記カードリーダ収容部の突出高さより大きい構成とする。
【００２０】
これによると、水平面に載置した状態でも、カードスロットが斜め下向きとなるため、水が浸入しにくくなり、防水性を高めることができる。
【００２１】
また、第７の発明は、前記下縁部は、側面視で上縁部の端縁と下縁部の端縁とを結ぶ直線の延長線上に位置する傾斜面を有する構成とする。
【００２２】
これによると、下縁部に傾斜面が形成されるため、カードスロットの上縁部に対して下縁部を内側にずれた状態に形成しても、上縁部から下縁部に渡って連続した外観の印象を与えることができるため、意匠性を高めることができる。
【００２３】
以下、本発明の実施の形態を、図面を参照しながら説明する。
【００２４】
図１は、本実施形態に係る取引端末装置１の斜視図である。図２は、図１に示した取引端末装置１の背面図である。図３は、図１に示した取引端末装置１の縦断面図である。
【００２５】
図１に示すように、この取引端末装置１は、クレジットカードやデビットカードなどとしての磁気カードＣ１、接触型ＩＣカードＣ２、および非接触型ＩＣカードなどを用いてキャッシュレスで決済を行うモバイル決済端末であり、筐体２の前面３に、表示入力パネル４と、キーパッド部５と、が配置されている。
【００２６】
筐体２は、アッパーケース２ａおよびロアーケース２ｂで構成されている。表示入力パネル４は、液晶表示パネルとタッチパネルとを組み合わせた、いわゆるタッチパネルディスプレイである。この表示入力パネル４は、その周縁部を枠パネル７で覆われるように設けられている。キーパッド部５には、複数の操作キー、具体的には電源キーと、テンキーおよびファンクションキーなどの入力キーとが配列されている。また、筐体２の側面部分には、電源プラグおよびメモリカードスロットを覆うカバー６が設けられている。
【００２７】
図２に示すように、筐体２の背面側には、カメラ８と、スピーカ９と、接続端子１０と、が設けられている。カメラ８は、バーコードなどを撮影するものである。スピーカ９は、アラーム音などの音声を出力するものである。接続端子１０は、図示しないクレードルの接続端子に接続されて、充電用の電力を供給するものである。
【００２８】
図３に示すように、この取引端末装置１は、プリンタ１２を備えている。プリンタ１２は、感熱方式により記録紙に印字する、いわゆるサーマルプリンタであり、このプリンタ１２では、記録紙をロール状に巻いたロール紙ＲＰから引き出された記録紙に印字が行われて排紙口１３から排出される。
【００２９】
ロール紙ＲＰは、筐体２の背面１５から後方に突き出た状態で形成された記録紙収容部１６に収容される。この記録紙収容部１６には、ロール紙ＲＰを収容する開口を閉鎖するプリンタカバー１７が設けられている。なお、筐体２の背面１５は前面３と平行に形成されている。
【００３０】
また、筐体２の内部には、磁気カードリーダ２１と、接触型ＩＣカードリーダ２２と、が設けられている。
【００３１】
磁気カードリーダ２１は、筐体２の端部に設けられたカードスロット２３に挿入された磁気カードＣ１を読み取るものである。磁気カードＣ１は、カード本体の両面または片面に磁気ストライプ（磁気テープ）が設けられた、いわゆる磁気ストライプカードであり、この磁気カードＣ１をカードスロット２３に差し込むと、読取ヘッドが磁気ストライプに接触し、左右方向にスライドさせるスワイプ操作により、磁気ストライプに記録された情報を読み取ることができる（図１参照）。
【００３２】
この磁気カードリーダ２１は、筐体２の背面１５から後方に突き出た状態で形成された磁気カードリーダ収容部２５に収容される。
【００３３】
接触型ＩＣカードリーダ２２は、筐体２の端部に設けられたカードスロット２４に挿入された接触型ＩＣカードＣ２を読み取るものである。接触型ＩＣカードＣ２は、カード本体の片面に、電極を備えたＩＣモジュールが設けられたものであり、この接触型ＩＣカードＣ２をカードスロット２４に差し込むと、接触型ＩＣカードＣ２の電極が接触型ＩＣカードリーダ２２の端子に接触し、ＩＣモジュールに記録された情報を読み取ることができる（図１参照）。
【００３４】
ここで、接触型ＩＣカード用のカードスロット２４では、接触型ＩＣカードを差し込むだけでよく、１方向にのみ開口していることから、開口部にシャッター２６を設けることで、防水性を確保することができる。一方、磁気カード用のカードスロット２３では、磁気カードをスライドさせるため、３方向に開口していることから、シャッターを設けることができない。このため、後に説明するように、筐体２におけるカードスロット２３の周辺部の形状を工夫することで、防水性を確保するようにしている。
【００３５】
また、筐体２の内部には、ＮＦＣアンテナ２７と、通信モジュール２８と、バッテリー２９と、が設けられている。
【００３６】
ＮＦＣアンテナ２７は、ＮＦＣ（近距離無線通信）により電子マネー機能を備えた非接触型ＩＣカードなどとの間で通信を行うものである。通信モジュール２８は、決済処理システムのサーバなどとの間で無線通信を行うものである。バッテリー２９は、取引端末装置１の各部に給電するものである。このバッテリー２９が収容されるバッテリー収容部３０には、バッテリー２９を出し入れするための開口を閉鎖するバッテリーカバー３１が設けられている。
【００３７】
このように取引端末装置１は、磁気カード、接触型ＩＣカード、非接触型ＩＣカードなどを用いてキャッシュレスで決済が行われ、その決済の内容を記録した控票を印字することができる。このほか、取引端末装置１では、ＩＤカードを用いたユーザ認証、例えば取引端末装置１の使用者を認証する機能を備えたものとしてもよい。
【００３８】
また、筐体２の内部における表示入力パネル４の背面側には、メイン基板３２と、サブ基板３３と、が設けられている。このメイン基板３２およびサブ基板３３には、取引端末装置１の各部を制御するための各種の電子部品が実装されている。例えば、メイン基板３２には、表示入力パネル４を構成する液晶表示パネルおよびタッチパネルが接続され、それらの制御を行う電子部品が実装されている。
【００３９】
また、筐体２の内部におけるキーパッド部５の背面側には、タッチセンサ基板３４と、セキュリティエリアメイン基板３５と、が配置されており、これらの基板３４，３５と、これらの基板３４，３５の間隔に保持するためのフレーム部材３６とが、磁気カードリーダ２１と接触型ＩＣカードリーダ２２とともに、モジュールケース３７に収容されて、セキュリティモジュール３８を構成している。
【００４０】
タッチセンサ基板３４には、入力キーの操作を検出するタッチセンサが設けられている。セキュリティエリアメイン基板３５には、暗証番号や暗号鍵などの機密情報を記憶するメモリなどが実装される。
【００４１】
タッチセンサ基板３４およびセキュリティエリアメイン基板３５には、導線を波形に配置したタンパ検知用パターンが設けられている。フレーム部材３６には、タンパ検知用パターンが設けられたセキュリティシートが、タッチセンサ基板３４とセキュリティエリアメイン基板３５とで区画された空間の外周部を周回するように貼り付けられている。また、モジュールケース３７の内面の適所にもセキュリティシートが貼り付けられている。これにより、モジュールケース３７に収容された、タッチセンサ基板３４およびセキュリティエリアメイン基板３５に実装されたメモリなどの電子部品や、磁気カードリーダ２１および接触型ＩＣカードリーダ２２が保護され、機密情報を盗み取る攻撃行為に対して耐タンパ性を確保することができる。
【００４２】
次に、図３に示した磁気カード用のカードスロット２３の防水構造について説明する。図４は、磁気カード用のカードスロット２３の防水構造を説明する取引端末装置１の要部側面図である。図５は、磁気カード用のカードスロット２３の防水構造を説明する取引端末装置１の要部背面図である。図６は、磁気カード用のカードスロット２３の防水構造を説明する取引端末装置１の要部斜視図である。図７は、磁気カード用のカードスロット２３の防水構造を説明する取引端末装置１の要部側面図である。
【００４３】
図４に示すように、筐体２は、表示入力パネル４に沿って前面３が平面状に形成され（図３参照）、磁気カード用のカードスロット２３は、筐体２の前面に沿った方向、すなわち、筐体２の前面３と平行となる方向に延びた状態で設けられている。
【００４４】
ここで、取引端末装置１は、通常、筐体２における表示入力パネル４が配置された前面３側を上にして使用されることから、本実施形態では、前面３を上にした状態で、磁気カード用のカードスロット２３の上側となる縁部を上縁部４１、カードスロット２３の下側となる縁部を下縁部４２と呼称する。
【００４５】
図５に示すように、磁気カード用のカードスロット２３では、読み取り時に操作者が磁気カードを把持してスライドさせる。このため、カードスロット２３は、磁気カードが差し込まれる入口側の第１の開口部２３ａと、磁気カードが排出される出口側の第２の開口部２３ｂと、第１の開口部２３ａおよび第２の開口部２３ｂを結ぶ第３の開口部２３ｃと、を有し、全体としてコ字形状に開口している。
【００４６】
また、このようなカードスロット２３の形状に応じて、上縁部４１は、第１の側面４１ａと、第２の側面４１ｂと、第３の側面４１ｃと、を有し、全体としてコ字形状をなしており、下縁部４２も、第１の側面４２ａと、第２の側面４２ｂと、第３の側面４２ｃと、を有し、全体としてコ字形状をなしている。
【００４７】
ここで、図４に示したように、下縁部４２の第３の側面４２ｃは、上縁部４１の第３の側面４１ｃに対して、所定のずれ量ｘをおいて内側、すなわち図３に示す磁気カードリーダ２１の磁気ヘッド２１ａ及び２１ｂ側にずれた状態に形成されている。
【００４８】
また、図６および図７に示すように、下縁部４２の第１の側面４２ａおよび第２の側面４２ｂの端には、段差部５１が形成されており、下縁部４２の第１の側面４２ａおよび第２の側面４２ｂが、上縁部４１の第１の側面４１ａおよび第２の側面４１ｂに対して、所定のずれ量ｙをおいて内側にずれた状態に形成されている。
【００４９】
このように本実施形態では、上縁部４１に対して下縁部４２が全体にわたって内側にずれた状態に形成されているため、取引端末装置１の上方から滴下する水に対して、上縁部４１がひさしとして機能するようになるため、カードスロット２３の内部への水の侵入を防ぐことができる。
【００５０】
また、図４に示したように、下縁部４２の第３の側面４２ｃは、側面視で上縁部４１の端縁５５と下縁部４２の端縁５６とを結ぶ直線の延長線ＥＬ上に位置するように傾斜して形成されている。これにより、カードスロット２３の上縁部４１に対して下縁部４２を内側にずれた状態に形成しても、上縁部４１から下縁部４２に渡って連続した外観の印象を与えることができるため、意匠性を高めることができる。
【００５１】
また、図３に示したように、筐体２の背面側には、ロール紙ＲＰを収容する記録紙収容部１６が設けられているが、この記録紙収容部１６は、ロール紙ＲＰが大きな寸法を有することから、筐体２の背面１５から後方に突出した状態で形成されている。また、筐体２の背面側には、磁気カードリーダ２１を収容する磁気カードリーダ収容部２５が設けられているが、この磁気カードリーダ収容部２５も、磁気カードリーダ２１が比較的大きな寸法を有することから、筐体２の背面１５から後方に突出した状態で形成されている。
【００５２】
そして、筐体２の背面１５に対する記録紙収容部１６の突出高さが磁気カードリーダ収容部２５の突出高さより大きくなっている。これにより、前面３を上にした状態で取引端末装置１を水平面に載置した状態において、カードスロット２３が斜め下向きとなるため、カードスロット２３から水が浸入しにくくなり、防水性を高めることができる。
【００５３】
なお、磁気カードリーダ２１では、磁気ヘッド２１ａ及び２１ｂが対向して２つ設けられており、磁気カードの両面に設けられた磁気ストライプの読み取りが可能となっており、これにより、磁気カードリーダ２１の寸法が大きくなり、比較的大きな収容スペースを確保する必要がある。
【００５４】
次に、図１に示した取引端末装置１を長手方向に関して傾斜させた状態について説明する。図８は、取引端末装置１を水平面および傾斜面に載置した状態を示す取引端末装置１の側面図である。
【００５５】
図８（Ａ）に示す状態は、取引端末装置１を水平面に載置した場合である。図８（Ｂ）に示す状態は、取引端末装置１をカードスロット２３側が上となるように１５°の傾斜角で傾斜した傾斜面に載置した場合である。図８（Ｃ）に示す状態は、取引端末装置１をカードスロット２３側が下となるように１５°の傾斜角で傾斜した傾斜面に載置した場合である。ここで、図８（Ｂ），（Ｃ）に示す状態は、防滴II形の規格で規定された最大の傾斜角となる場合である。
【００５６】
筐体２の背面１５に対する記録紙収容部１６の突出高さが磁気カードリーダ収容部２５の突出高さより大きいため、図８（Ａ）に示すように、取引端末装置１を水平面に載置した状態では、カードスロット２３は下向きに傾斜した状態となり、カードスロット２３に水が侵入しにくくなる。また、図８（Ｃ）に示すように、取引端末装置１をカードスロット２３側が下となるように傾斜面に載置した状態では、さらにカードスロット２３は下向きに傾斜した状態となり、カードスロット２３に水が侵入しにくくなる。
【００５７】
一方、図８（Ｂ）に示すように、取引端末装置１をカードスロット２３側が上となるように傾斜面に載置した状態では、カードスロット２３は上向きに傾斜した状態となり、取引端末装置１を水平面に載置した状態よりもカードスロット２３に水が侵入しやすくなる。
【００５８】
ここで、本実施形態では、図４に示したように、上縁部４１の第３の側面４１ｃに対して、下縁部４２の第３の側面４２ｃが、所定のずれ量ｘをおいて内側にずれた状態に形成されている。このため、カードスロット２３が上向きに傾斜した状態となっても、カードスロット２３の第３の開口部２３ｃからの水の浸入を防止することができる。
【００５９】
次に、図１に示した取引端末装置１において防水性を確保するための条件について説明する。図９は、取引端末装置１において防水性を確保するための条件を説明する説明図であり、図９（Ｂ）に、図９（Ａ）においてＡで示す範囲を拡大して示す。なお、ここでは、筐体２の前面３に沿う方向をＸ方向とし、筐体２の前面３に直交する方向をＹ方向とする。
【００６０】
図９（Ａ）に示すように、取引端末装置１を平坦な載置面に載置すると、記録紙収容部１６と磁気カードリーダ収容部２５とが、載置面に接触し、磁気カードリーダ収容部２５が載置面に接触する点を設置点Ｐ１とし、記録紙収容部１６が載置面に接触する点を設置点Ｐ２とする。そして、設置点Ｐ１を通るＸ方向の平面を基準面とすると、載置面の水平面に対する傾斜角θ、基準面と載置面とのなす角度θ′、Ｙ方向と鉛直方向とのなす角度θ″は、次式のような関係となる。
θ″＝θ−θ′      （式１）
【００６１】
また、基準面と載置面とのなす角度θ′、基準面に対する記録紙収容部１６の突出高さ、すなわち、基準面に対する設置点Ｐ２の高さＨ、設置点Ｐ１と設置点Ｐ２との間のＸ方向の間隔Ｌは、次式のような関係となる。
θ′＝ｓｉｎ−１（Ｈ／Ｌ）      （式２）
【００６２】
また、図９（Ｂ）に示すように、側面視で上縁部４１の端点Ｐ３と下縁部４２の端点Ｐ４とが鉛直方向の直線上に並ぶ場合に、端点Ｐ３と端点Ｐ４との間のＸ方向の距離、すなわち、上縁部４１に対する下縁部４２のずれ量ｘ、カードスロット２３の開口部の幅ａ、Ｙ方向と鉛直方向とのなす角度θ″は、次式のような関係となる。
ｘ＝ａ×ｔａｎθ″      （式３）
【００６３】
前記の式１、式２、式３から、次式が導かれる。
ｘ＝ａ×ｔａｎ（θ−ｓｉｎ−１（Ｈ／Ｌ））      （式４）
この式４は、上方から垂直に滴下する水に対して、上縁部４１をひさしとして機能させることができる、上縁部４１に対する下縁部４２のずれ量ｘの最小値を表すものである。したがって、上縁部４１に対する下縁部４２のずれ量ｘが次式を満たすときに防水性を確保することができる。
ｘ≧ａ×ｔａｎ（θ−ｓｉｎ−１（Ｈ／Ｌ））      （式５）
【００６４】
ここで、ＪＩＳの防滴II形（ＩＰＸ２）の規格、すなわち、１５°以内の角度で傾斜した状態において垂直に滴下する水に対して保護される条件を満たすには、載置面の傾斜角θが１５°となる。
【００６５】
なお、磁気カードリーダ収容部２５が突出しない構成も可能であり、この場合、筐体２の背面１５が基準面となり、Ｈは、筐体２の背面１５に対する記録紙収容部１６の突出高さとなる。
【００６６】
ところで、図８および図９では、取引端末装置１を長手方向に関して傾斜させた状態に関する防水性について説明したが、取引端末装置１を幅方向に関して傾斜させた状態でも、カードスロット２３からの水の浸入を防止することができる。
【００６７】
すなわち、図７に示したように、上縁部４１の第１の側面４１ａおよび第２の側面４１ｂに対して、下縁部４２の第１の側面４２ａおよび第２の側面４２ｂが、所定のずれ量ｙをおいて内側にずれた状態に形成されている。このため、取引端末装置１が幅方向に関して傾斜した状態でも、取引端末装置の上方から滴下する水に対して、上縁部４１がひさしとして機能するようになるため、カードスロット２３の第１の開口部２３ａおよび第２の開口部２３ｂからの水の浸入を防止することができる。
【００６８】
以上、本発明を特定の実施形態に基づいて説明したが、これらの実施形態はあくまでも例示であって、本発明はこれらの実施形態によって限定されるものではない。また、上記実施形態に示した本発明に係る取引端末装置の各構成要素は、必ずしも全てが必須ではなく、少なくとも本発明の範囲を逸脱しない限りにおいて適宜取捨選択することが可能である。
【００６９】
例えば、前記の実施形態では、取引端末装置の一例として、磁気カードや接触型ＩＣカードなどを用いてキャッシュレスで決済を行うモバイル決済端末について説明したが、本発明における取引端末装置は、このような決済の用途に限定されるものではない。
【００７０】
また、前記の実施形態では、筐体における磁気カードリーダ用のカードスロットと相反する側に、筐体の背面から突出した凸部として、記録紙を収容する記録紙収容部が設けられた構成について説明したが、この凸部は記録紙収容部に限定されるものではなく、例えば、バーコードリーダや、伝票などを読み取るカメラを収容するものであってもよい。
【００７１】
また、前記の実施形態では、記録紙収容部とともに磁気カードリーダ収容部が筐体の背面から突出して、２つの凸部が設けられた構成としたが、磁気カードリーダ収容部が筐体の背面から突出しないように形成することも可能である。
【産業上の利用可能性】
【００７２】
本発明に係る取引端末装置は、部品点数および製造工数の増加や、筐体の意匠性の低下を招くことなく、カードスロットからの水の侵入を防止するための必要十分な防水性を確保することができる効果を有し、カードリーダを備えた取引端末装置などとして有用である。
【符号の説明】
【００７３】
１  取引端末装置
２  筐体、２ａ  アッパーケース、２ｂ  ロアーケース
３  前面
４  表示入力パネル
５  キーパッド部
１５  背面
１２  プリンタ
１６  記録紙収容部
２１  磁気カードリーダ
２２  接触型ＩＣカードリーダ
２３  カードスロット
２３ａ  第１の開口部、２３ｂ  第２の開口部、２３ｃ  第３の開口部
２４  カードスロット
２５  磁気カードリーダ収容部
４１  上縁部
４１ａ  第１の側面、４１ｂ  第２の側面、４１ｃ  第３の側面
４２  下縁部
４２ａ  第１の側面、４２ｂ  第２の側面、４２ｃ  第３の側面
５５，５６  端縁
【図１】
2017062694.tif 000003
【図２】
2017062694.tif 000004
【図３】
2017062694.tif 000005
【図４】
2017062694.tif 000006
【図５】
2017062694.tif 000007
【図６】
2017062694.tif 000008
【図７】
2017062694.tif 000009
【図８】
2017062694.tif 000010
【図９】
2017062694.tif 000011